(57)【要約】      （修正有）【課題】構造が簡潔となり、挟みが便利で堅固となる快速接続ロッドを提供する。【解決手段】第１端と、第２端と、第１端と第２端を貫通する軸穴と、を有し、軸穴の第１端に対応する箇所を第１収容室と定義し、軸穴の第２端に対応する箇所を第２収容室と定義するスリーブ１０と、スリーブ１０の軸穴に挿入でき、第１段２１と、第２段２２と、を有する。さらに、第１段の端面には、その軸方向に沿う収容穴が設けられ、その半径方向に沿って収容穴と連通する貫通孔２４が少なくとも一つ設けられるロッド２０と、一つの押付具５０と、少なくとも一つの規制具７０と、を少なくとも備える。また、押付具は身部を有し、ロッドの収容穴に弾性的に摺動可能に収容される弾性付き係止ユニットと、案内溝に沿う摺動が規制され、その前端には、弾性的に後退できる挟み部が二つ形成され、ロッドの第１段の端面と押付具との間に組み付けられる挟み具４０と、を含む。【選択図】図２Ａ
0003175913.tif 000002
【実用新案登録請求の範囲】
【請求項１】
第１端と第２端と前記第１端と前記第２端を貫通する軸穴とを有し、前記軸穴の前記第１端に対応する箇所を第１収容室と定義し、前記軸穴の前記第２端に対応する箇所を第２収容室と定義し、前記第１収容室には前記軸穴に沿って前記第２収容室へ案内溝が設けられ、前記案内溝は前記軸穴の軸方向に沿う内壁面を有し、前記内壁面には少なくとも二つの階段溝を有する第１階段部が形成されるスリーブと、
前記スリーブの前記軸穴に挿入でき、第１段と第２段とを有し、前記第１段の端面にはその軸方向に沿う収容穴が設けられ、その半径方向に沿って前記収容穴と連通する貫通孔が少なくとも一つ設けられるロッドと、
一つの押付具と少なくとも一つの規制具とを少なくとも備え、前記押付具は身部を有し、前記身部の表面には少なくとも二つの階段溝を有する第２階段部が形成され、前記押付具は、前記ロッドの前記収容穴に弾性的に摺動可能に収容され、前記貫通孔に収容される規制具の内外側により、前記第１階段部又は前記第２階段部に選択的に係止でき、これにより、弾性的な摺動を規制できる弾性付き係止ユニットと、
前記案内溝に沿う摺動が規制され、その前端には弾性的に後退できる挟み部が二つ形成され、前記ロッドの前記第１段の前記端面と前記押付具との間に組み付けられ、これにより、前記ロッドとの連動を保持できる挟み具と、
を含むことを特徴とする快速接続ロッド。
【請求項２】
前記押付具は身部とより大径な拡大部とを有し、前記挟み具は押付面と前記押付面の両側から対称的に延びる二つの挟みアームとを有し、二つの前記挟みアームは前記案内溝に摺動可能に設けられ、前記押付面は前記押付具の前記身部の弾性具を挿通することにより、前記ロッドの前記第１段の前記端面に当接し、前記押付面には前記押付具の前記身部が挿通可能な貫通孔が設けられ、二つの前記挟みアームには前記押付面と連接する直線段と前記直線段から外側へ斜めに延びる斜め段とが形成され、各前記斜め段には内側に湾曲されてフック状を呈する挟み部が設けられ、前記斜め段の前記挟み部に対応する箇所で凸部が形成されることを特徴とする、請求項１に記載の快速接続ロッド。
【請求項３】
前記スリーブの前記軸穴内にある前記第１収容室と前記第２収容室との連接箇所では、六角形軸穴を有する止め縁が形成され、前記第１収容室の前記第１端に近接する箇所では上収容室を有し、前記第１収容室の前記第２収容室と連接する箇所では下収容室を有し、前記軸穴の前記第１収容室に対応する箇所が多辺形軸穴に成形され、前記多辺形軸穴は複数の切り面を有し、前記切り面同士の連接箇所でコーナーが形成され、前記案内溝は前記多辺形軸穴の対向する二つの前記コーナーに沿って形成されることを特徴とする、請求項１又は請求項２に記載の快速接続ロッド。
【請求項４】
前記押付具の前記身部は前記拡大部から前記身部へ、第４階段面、第５階段面、第６階段面及び第７階段面が形成され、前記第４階段面と前記第５階段面との連接箇所で第４止め縁が形成され、前記第５階段面と前記第６階段面との連接箇所で第５止め縁が形成され、前記第６階段面と前記第７階段面との連接箇所で第６止め縁が形成され、前記第４止め縁と前記第５止め縁との間にある前記第５階段面に第３階段溝が形成され、前記第５止め縁と前記第６止め縁との間にある前記第６階段面に第４階段溝が形成されることを特徴とする、請求項２に記載の快速接続ロッド。
【請求項５】
前記案内溝の前記上収容室に対応する箇所は斜め案内溝段であり、前記案内溝の前記下収容室に対応する箇所は直線案内溝段であり、前記案内溝の前記直線案内溝段の内壁面は前記第２収容室へ徐々に縮径し、そして前記直線案内溝段の内壁面には第１階段面と第２階段面とが形成され、前記第１階段面と前記第２階段面との連接箇所で第１止め縁が形成され、前記第２階段面と前記止め縁との連接箇所で第２止め縁が形成され、前記第１階段面から前記第１止め縁までは第１階段溝と定義し、前記第２階段面から前記第２止め縁までは第２階段溝と定義し、前記止め縁と前記第２収容室との連接箇所で第３止め縁が形成され、前記第２収容室の直径は前記第１収容室の直径よりも大きく、前記第１収容室の最大直径は前記止め縁の前記六角形軸穴の最大直径よりも大きいことを特徴とする、請求項３に記載の快速接続ロッド。
【請求項６】
前記弾性付き係止ユニットは更に、ブッシュと弾性具と磁性具とを含み、前記ブッシュは止め部と前記止め部の一端から徐々に縮小するように延びる収容部とを有し、前記収容部に弾性具が嵌め設けられ、前記収容部の内部に収容空間が形成され、前記収容空間は前記磁性具を収容し、その底面に貫通孔が設けられ、前記貫通孔により前記底面に保持段が形成され、前記押付具の前記身部は前記ブッシュの前記貫通孔と前記弾性具とを挿通し、前記押付具の前記拡大部が前記保持段に係止され、これにより、前記収容部に収容される前記弾性具は一端が前記挟み具の前記押付面に押付け、他端が前記ブッシュの前記止め部に押付けることを特徴とする、請求項５に記載の快速接続ロッド。
【請求項７】
前記ロッドは複数の切り面と隣接する前記切り面同士から構成されるコーナーとから構成される多辺形ロッドであり、前記ロッドの前記第１段と前記第２段との連接箇所での表面に環状溝が設けられ、前記ロッドは第２弾性具と固定具とを介して前記スリーブと結合し、前記第２弾性具に前記ロッドを嵌め設けることができ、前記固定具が前記環状溝に組み付けられ、前記ロッドに嵌め設けられる前記第２弾性具の両端は前記固定具と前記第２収容室とにそれぞれ押付け、前記貫通孔が前記ロッドの前記コーナーに設けられることを特徴とする、請求項１又は請求項２に記載の快速接続ロッド。
【請求項８】
前記弾性付き係止ユニットは更に、ブッシュと磁性具とを含み、前記ブッシュは止め部と前記止め部の一端から徐々に縮小するように延びる収容部とを有し、前記収容部の内部に収容空間が形成され、前記収容空間は前記磁性具を収容し、その底面に貫通孔が設けられ、前記貫通孔により前記底面に保持段が形成され、前記押付具の前記身部は前記ブッシュの前記貫通孔を挿通し、前記押付具の前記拡大部が前記保持段に止められ、これにより、前記ブッシュの前記収容部に収容される前記弾性具は一端が前記挟み具の前記押付面に押付け、他端が前記ブッシュの前記止め部に押付けることを特徴とする、請求項１に記載の快速接続ロッド。
【請求項９】
前記固定具は多辺形貫通孔を挿通し、前記多辺形貫通孔は複数の切り面を有し、各前記切り面の中央段には前記固定具の少なくとも一端の表面に応じて凹み面が設けられることを特徴とする、請求項７に記載の快速接続ロッド。
【考案の詳細な説明】
【技術分野】
【０００１】
本考案は、二つのユニットを組合せて構成される快速接続ロッドに関するものである。
【背景技術】
【０００２】
特許文献１の「工具接続ロッド」が提案された。このような工具接続ロッドは下記の欠点がある。
（１）このような工具接続ロッドは、スリーブと、六角形接続ロッドと、快速構造の工具ヘッドに対する緊迫、又は緩めを制御する摺動スリーブと、から構成されるため、部材が複雑すぎ、生産コストが高い。
【０００３】
（２）このような工具接続ロッドは、部材が複雑すぎるため、組付作業の速度が遅い。
【０００４】
（３）摺動スリーブの設計により、工具接続ロッドの幅を有効に縮小できないため、狭い空間に作業するときには、工具接続ロッドを深く入れることができず、或いは狭い空間に工具接続ロッドを無理に深く入れても、摺動スリーブが周囲のものと接触しやすいため、作業をスムーズに行うことができない。
【０００５】
（４）このような工具接続ロッドは、スチール玉により工具ヘッドを緊迫するため、スチール玉の球面の一部だけが工具ヘッドの平面的な表面と接触する。これにより、工具ヘッドを挟む効果が良くないため、工具接続ロッドの出力トルクが減少する。
【先行技術文献】
【特許文献】
【０００６】
【特許文献１】台湾登録実用新案第Ｍ３６９２２４号公報
【考案の概要】
【考案が解決しようとする課題】
【０００７】
本考案の主な目的は、構造が簡潔となる快速接続ロッドを提供することにある。
【０００８】
また、本考案の次の目的は、挟みが便利で堅固となる快速接続ロッドを提供することにある。
【課題を解決するための手段】
【０００９】
本考案の快速接続ロッドによると、第１端と、第２端と、第１端と第２端を貫通する軸穴と、を有し、軸穴の第１端に対応する箇所を第１収容室と定義し、軸穴の第２端に対応する箇所を第２収容室と定義し、第１収容室には、軸穴に沿って第２収容室へ案内溝が設けられ、案内溝は軸穴の軸方向に沿う内壁面を有し、内壁面には、少なくとも二つの階段溝を有する第１階段部が形成されるスリーブと、スリーブの軸穴に挿入でき、第１段と、第２段と、を有し、第１段の端面には、その軸方向に沿う収容穴が設けられ、その半径方向に沿って収容穴と連通する貫通孔が少なくとも一つ設けられるロッドと、一つの押付具と、少なくとも一つの規制具と、を少なくとも備え、押付具は身部を有し、身部の表面には、少なくとも二つの階段溝を有する第２階段部が形成され、押付具は、ロッドの収容穴に弾性的に摺動可能に収容され、貫通孔に収容される規制具の内外側により、第１階段部又は第２階段部に選択的に係止でき、これにより、弾性的な摺動を規制できる弾性付き係止ユニットと、案内溝に沿う摺動が規制され、その前端には、弾性的に後退できる挟み部が二つ形成され、ロッドの第１段の端面と押付具との間に組み付けられ、これにより、ロッドとの連動を保持できる挟み具と、を含むことを特徴とする。
【００１０】
本考案の快速接続ロッドによると、押付具は、身部と、より大径な拡大部と、を有し、挟み具は、押付面と、押付面の両側から対称的に延びる二つの挟みアームと、を有し、二つの挟みアームは案内溝に摺動可能に設けられ、押付面は、押付具の身部の弾性具を挿通することにより、ロッドの第１段の端面に当接し、押付面には、押付具の身部が挿通可能な貫通孔が設けられ、二つの挟みアームには、押付面と連接する直線段と、直線段から外側へ斜めに延びる斜め段と、が形成され、各斜め段には、内側に湾曲されてフック状を呈する挟み部が設けられ、斜め段の挟み部に対応する箇所で凸部が形成されることを特徴とする。
【００１１】
本考案の快速接続ロッドによると、スリーブの軸穴内にある第１収容室と第２収容室との連接箇所では、六角形軸穴を有する止め縁が形成され、第１収容室の第１端に近接する箇所では、上収容室を有し、第１収容室の第２収容室と連接する箇所では、下収容室を有し、軸穴の第１収容室に対応する箇所が多辺形軸穴に成形され、多辺形軸穴は複数の切り面を有し、切り面同士の連接箇所でコーナーが形成され、案内溝は、多辺形軸穴の対向する二つのコーナーに沿って形成されることを特徴とする。
【００１２】
本考案の快速接続ロッドによると、押付具の身部は、拡大部から身部へ、第４階段面、第５階段面、第６階段面及び第７階段面が形成され、第４階段面と第５階段面との連接箇所で第４止め縁が形成され、第５階段面と第６階段面との連接箇所で第５止め縁が形成され、第６階段面と第７階段面との連接箇所で第６止め縁が形成され、第４止め縁と第５止め縁との間にある第５階段面に第３階段溝が形成され、第５止め縁と第６止め縁との間にある第６階段面に第４階段溝が形成されることを特徴とする。
【００１３】
本考案の快速接続ロッドによると、案内溝の上収容室に対応する箇所は斜め案内溝段であり、案内溝の下収容室に対応する箇所は直線案内溝段であり、案内溝の直線案内溝段の内壁面は第２収容室へ徐々に縮径し、そして直線案内溝段の内壁面には、第１階段面と、第２階段面と、が形成され、第１階段面と第２階段面との連接箇所で第１止め縁が形成され、第２階段面と止め縁との連接箇所で第２止め縁が形成され、第１階段面から第１止め縁までは第１階段溝と定義し、第２階段面から第２止め縁までは第２階段溝と定義し、止め縁と第２収容室との連接箇所で第３止め縁が形成され、第２収容室の直径は第１収容室の直径よりも大きく、第１収容室の最大直径は止め縁の六角形軸穴の最大直径よりも大きいことを特徴とする。
【００１４】
本考案の快速接続ロッドによると、弾性付き係止ユニットは、更に、ブッシュと、弾性具と、磁性具と、を含み、ブッシュは、止め部と、止め部の一端から徐々に縮小するように延びる収容部と、を有し、収容部に弾性具が嵌め設けられ、収容部の内部に収容空間が形成され、収容空間は、磁性具を収容し、その底面に貫通孔が設けられ、貫通孔により底面に保持段が形成され、押付具の身部はブッシュの貫通孔と弾性具とを挿通し、押付具の拡大部が保持段に係止され、これにより、収容部に収容される弾性具は、一端が挟み具の押付面に押付け、他端がブッシュの止め部に押付けることを特徴とする。
【００１５】
本考案の快速接続ロッドによると、ロッドは、複数の切り面と、隣接する切り面同士から構成されるコーナーと、から構成される多辺形ロッドであり、ロッドの第１段と第２段との連接箇所での表面に環状溝が設けられ、ロッドは、第２弾性具と固定具とを介してスリーブと結合し、第２弾性具にロッドを嵌め設けることができ、固定具が環状溝に組み付けられ、ロッドに嵌め設けられる第２弾性具の両端は固定具と第２収容室とにそれぞれ押付け、貫通孔がロッドのコーナーに設けられることを特徴とする。
【００１６】
本考案の快速接続ロッドによると、弾性付き係止ユニットは、更に、ブッシュと、磁性具と、を含み、ブッシュは、止め部と、止め部の一端から徐々に縮小するように延びる収容部と、を有し、収容部の内部に収容空間が形成され、収容空間は、磁性具を収容し、その底面に貫通孔が設けられ、貫通孔により底面に保持段が形成され、押付具の身部はブッシュの貫通孔を挿通し、押付具の拡大部が保持段に止められ、これにより、ブッシュの収容部に収容される弾性具は、一端が挟み具の押付面に押付け、他端がブッシュの止め部に押付けることを特徴とする。
【００１７】
本考案の快速接続ロッドによると、固定具は多辺形貫通孔を挿通し、多辺形貫通孔は複数の切り面を有し、各切り面の中央段には、固定具の少なくとも一端の表面に応じて凹み面が設けられることを特徴とする。
【考案の効果】
【００１８】
本考案の快速接続ロッドによれば、次のような効果がある。
（１）本考案の快速接続ロッドは、スリーブの案内溝の内壁面に第１階段溝と第２階段溝とが形成され、押付具の身部に第３階段溝と第４階段溝とが形成され、そして規制具と挟み具とを有するため、構造が簡潔となり、生産コストを大幅に減少でき、そして従来の摺動スリーブを省略したため、組付作業の速度を増加できる。
【００１９】
（２）従来の摺動スリーブを省略したため、全体の体積が細くて長くなるため、狭い空間に作業できる。
【００２０】
（３）挟み具の直線段弾性付き挟みアームと斜め段弾性付き挟みアームとは、案内溝の直線案内溝段と斜め案内溝段とに合せられるため、挟み具がロッドと同期に移動しているときには、直線案内溝段が挟みアームを自動的に圧縮して、挟みアームのフック状を呈する挟み部が工具ヘッドの規制溝を係止し、そして斜め段弾性付き挟みアームが斜め案内溝段に戻るときには、二つの挟みアームの工具ヘッドに対する挟みが解除される。これにより、工具ヘッドに対する係止及びリリースがもっと便利で快速となる。
【００２１】
（４）挟み具のフック状を呈する挟み部により、工具ヘッドに対する挟みが更に堅固となり、工具ヘッドの出力トルクを増加できる。
【図面の簡単な説明】
【００２２】
【図１】本考案の一実施例の組合済み状態を示す斜視図である。
【図２Ａ】本考案の一実施例を示す分解斜視図である。
【図２Ｂ】本考案のスリーブの端面から見た斜視図である。
【図３Ａ】本考案の一実施例の常時状態を示す断面図である。
【図３Ｂ】本考案のロッドに固定具を組付けた状態を示す拡大斜視図である。
【図４】本考案の一実施例に工具ヘッドが挿入されている状態を示す断面図である。
【図５】本考案の一実施例に工具ヘッドが挿入された状態を示す断面図である。
【図６】本考案の一実施例の工具ヘッドに対する挟みが解除された状態を示す断面図である。
【考案を実施するための形態】
【００２３】
以下、本考案の実施の形態を図面に基づいて説明する。
【００２４】
まず、図１乃至図３Ａ、図３Ｂを参照する。本考案の一実施例の快速接続ロッド１は、スリーブ１０と、ロッド２０と、挟み具４０と、弾性付き係止ユニットと、弾性具６０と、二つの規制具７０と、を含む。
【００２５】
スリーブ１０は、中空な円柱体であり、第１端と、第２端と、前記第１端と前記第２端を貫通する軸穴と、を有する。前記軸穴の前記第１端に対応する箇所を第１収容室と定義する。前記軸穴の前記第２端に対応する箇所を第２収容室１２と定義する。第２収容室１２の軸穴の直径は、前記第１収容室の軸穴の直径よりも大きい。前記第１収容室と第２収容室１２の連接箇所では、六角形軸穴を有する止め縁１０１が形成される。止め縁１０１の六角形軸穴の最大直径は、前記第１収容室の軸穴の直径よりも小さい。前記第１収容室の前記第１端に近接する箇所では、上収容室を有する。前記第１収容室の第２収容室１２と連接する箇所では、下収容室を有する。前記下収容室は、止め縁１０１に延びて、前記六角形軸穴を経由して第２収容室１２と連通する。前記第１収容室の軸穴は、六角形の多辺形軸穴１１であり、六角形の工具ヘッド２を挿入できる。多辺形軸穴１１は、六つの切り面１１１を有し、切り面１１１同士の連接箇所でコーナー１１２が形成される。図２Ｂに示すように、前記第１収容室の対向する二つのコーナー１１２から第２収容室１２へ、前記軸穴の軸方向に沿う案内溝が設けられる。前記案内溝の前記上収容室に対応する箇所は斜め案内溝段１３１である。斜め案内溝段１３１はラッパー状を呈する開口である。前記案内溝の前記下収容室に対応する箇所は直線案内溝段１３２である。直線案内溝段１３２には、前記軸穴の軸方向に沿う内壁面が形成される。前記内壁面に第１階段部が形成される。前記第１階段部は、第２収容室１２へ徐々に縮径する、第１階段面１４１と、第２階段面１４２と、を含む。第１階段面１４１と第２階段面１４２との連接箇所で第１止め縁１４４が形成される。第２階段面１４２と止め縁１０１との連接箇所で第２止め縁１４５が形成される。第１階段面１４１から第１止め縁１４４までは第１階段溝１４６と定義する。第２階段面１４２から第２止め縁１４５までは第２階段溝１４７と定義する。止め縁１０１と第２収容室１２との連接箇所で第３止め縁１４８が形成される。
【００２６】
ロッド２０は、複数の切り面２０１と、隣接する切り面２０１同士から構成されるコーナー２０２と、から構成される多辺形ロッドである。ロッド２０は、スリーブ１０の軸穴に挿入でき、第１段２１と、第２段２２と、を有する。第１段２１の端面２１１には、その軸方向に沿う収容穴２３と、その半径方向に沿って収容穴２３と連通してコーナー２０２に位置する貫通孔２４と、が設けられる。ロッド２０の第１段２１と第２段２２の連接箇所での表面に環状溝２５が設けられる。ロッド２０は、第２弾性具３１と固定具３０とを介してスリーブ１０と結合する。第２弾性具３１にロッド２０を嵌め設けることができる。固定具３０は環状溝２５に組み付けられる。ロッド２０に嵌め設けられる第２弾性具３１の両端は、固定具３０と第２収容室１２の第３止め縁１４８とにそれぞれ押付ける。固定具３０は、六角形のロッドに対応する多辺形貫通孔３０１を有する。各多辺形貫通孔３０１には、ロッド２０の切り面２０１の数量に対応する切り面３０２が六つ設けられる。各切り面３０２の両端の表面、又は一端の表面には、三角形の断面形状を呈する凹み面３０３が設けられる。ロッド２０の切り面２０１に固定具３０の切り面３０２を合せて、環状溝２５に固定具３０を移動した後、固定具３０をやや旋回すると、切り面３０２の中央段にある凹み面３０３がロッド２０のコーナー２０２に対応して、第２弾性具３１の弾性的な押付けにより、図３Ｂに示すように、凹み面３０３の両側がロッド２０のコーナー２０２に係止される。このように、固定具３０の旋回を防止でき、そして固定具３０が環状溝２５に堅固に組み付けられる。
【００２７】
挟み具４０は、ロッド２０の第１段２１の端面２１１と下記の押付具５０との間に組み付けられる。これにより、ロッド２０は挟み具４０を連動して前記案内溝に沿って移動できる。挟み具４０は、押付面４１と、押付面４１の両側から対称的に延びる二つの挟みアーム４２と、を有する。二つの挟みアーム４２は前記案内溝に摺動可能に設けられる。押付面４１に貫通孔４１１が設けられる。二つの挟みアーム４２には、押付面４１と連接する直線段４２１と、直線段４２１から外側へ斜めに延びる斜め段４２２と、が形成される。各斜め段４２２には、内側に湾曲されてフック状を呈する挟み部４２３が設けられる。斜め段４２２の挟み部４２３に対応する箇所で凸部４２４が形成される。二つの挟みアーム４２の外側にある凸部４２４の間の最小距離は、前記下収容室の直径とほぼ同じ、或いは前記下収容室の直径よりも大きい。平常時に、二つの挟みアーム４２の挟み部４２３の最大開口距離は、工具ヘッド２０の直径よりも大きく、或いは工具ヘッド２０の直径と同じである。
【００２８】
前記弾性付き係止ユニットは押付具５０を含む。押付具５０は、身部と、より大径な拡大部５２と、を有する。前記身部の表面に第２階段部が形成される。前記第２階段部には、拡大部５２から身部へ、第４階段面５１１、第５階段面５１２、第６階段面５１３及び第７階段面５１４が形成される。第４階段面５１１と第５階段面５１２との連接箇所で第４止め縁５１５が形成される。第５階段面５１２と第６階段面５１３との連接箇所で第５止め縁５１６が形成される。第６階段面５１３と第７階段面５１４の連接箇所で第６止め縁５１７が形成される。第４止め縁５１５と第５止め縁５１６との間にある第５階段面５１２を第３階段溝５１８と定義する。第５止め縁５１６と第６止め縁５１７との間にある第６階段面５１３を第４階段溝５１９と定義する。
【００２９】
弾性具６０は押付具５０に嵌め設けられる。弾性具６０により、押付具５０はスリーブ１０の前記第１端へ付勢される。
【００３０】
本実施例では、二つの規制具７０がスチール玉である。規制具７０はロッド２０の貫通孔２４に収容される。規制具７０の内側は、押付具５０の第３階段溝５１８又は第４階段溝５１９に選択的に係止できる。規制具７０の外側は、前記案内溝の第１階段溝１４６又は第２階段溝１４７に選択的に係止できる。
【００３１】
押付具５０の身部は、弾性具６０を挿通して挟み具４０の貫通孔４１１に挿入した後、ロッド２０の収容穴２３に摺動可能に収容される。このように、貫通孔２４に収容される規制具７０により、押付具５０は収容空間から離脱できない。
【００３２】
前記弾性付き係止ユニットは、更に、ブッシュ８０と、磁性具９０と、を含む。ブッシュ８０は、止め部８１と、止め部８０の一端から徐々に縮小するように延びる収容部８２と、を有する。収容部８２の内部に収容空間が形成される。前記収容部８２の底面に貫通孔８２２が設けられる。貫通孔８２２により前記底面に保持段８２４が形成される。本実施例では、ブッシュ８０の収容部８２に収容される弾性具６０は、一端が挟み具４０の押付面４１に押付け、他端がブッシュ８０の止め部８１に押付ける。押付具５０の身部は、ブッシュ８０の貫通孔８２２、弾性具６０及び挟み具４０の貫通孔４１１を挿通して、拡大部５２と貫通孔８２２の周囲にある保持段８２４とに止められ、最後に、前記身部は、ロッド２０の収容穴２３に摺動可能に収容されて、規制具７０に規制される。磁性具９０は、ブッシュ８０の収容空間に収容されて、止め部８１の端面に合せられる。磁性具９０による磁力により、工具ヘッド２の脱落を防止できる。
【００３３】
図３Ａ乃至図６を参照する。平常時に、押付具５０が弾性具６０に押付けられて、規制具７０の内外側が第１段階溝１４６と第４段階溝５１９とにそれぞれ止められて、挟み具４０の斜め段４２２が斜め案内溝段１３１に位置する。平常時に、挟み具４０の二つの挟み部４２３の開口距離を工具ヘッド２の最大直径よりも大きくする。このように、工具ヘッド２の挿入及び引出が便利となる。
【００３４】
図５を参照する。工具ヘッド２を挿入して弾性具６０を押下げると、定位具７０の内側が第４階段溝５１９から、より小径な第３階段溝５１８に移動し、最後に、ロッド２０がスリーブ１０の前記第２端へ相対的に移動する。これにより、規制具７０の外側の係止は第１階段溝１４６から第２階段溝１４７に移動する。工具ヘッド２がユーザに押下げられることにより、ロッド２０が駆動されて挟み具４０と同期に第２収容室１２へ移動する。このように、挟み具４０の斜め段４２２は、斜め案内溝段１３１から直線案内溝段１３２に移動し、且つ直線案内溝段１３２の直径が斜め段４２２の凸部４２４よりもやや小さく、或いは直線案内溝段１３２の直径が斜め段４２２の凸部４２４と同じである設計により、挟み具４０の二つの挟みアーム４２が内側へ後退するため、二つの挟みアーム４２にある挟み部４２３が工具ヘッド２の定位溝２ａと係止する。このように、工具ヘッド２と快速接続ロッド１との結合は堅固となる。
【００３５】
工具ヘッド２を取出したいときには、図６に示すように、スリーブ１０をロッド２０の前記第２端へ相対的に摺動して、規制具７０は、その内側の係止が第３階段溝５１８から第４階段溝５１９に移動し、その外側の係止が第２階段溝１４７から第１階段溝１４６に移動し、二つの挟み部４２３が直線案内溝段１３２から、より大径な斜め段４２２に移動する。このとき、二つの挟み部４２３が外側に弾性的に戻って、工具ヘッド２に対する挟みが解除され、そして挟み具４０とブッシュ８０との間に圧縮されている弾性具６０による弾力により、工具ヘッド２が弾き出される。しかし、ブッシュ８０内にある磁性具９０により、弾き出されている工具ヘッド２は脱落しない。
【産業上の利用可能性】
【００３６】
本考案は、手工具に適用することができる。
【符号の説明】
【００３７】
１：快速接続ロッド、２：工具ヘッド、２ａ：定位溝、１０：スリーブ、１２：第２収容室、１１：多辺形軸穴、２０：ロッド、２１：第１段、２２：第２段、２３：収容穴、２４：貫通孔、２５：環状溝、３０：固定具、３１：第２弾性具、４０：挟み具、４１：押付面、４２：挟みアーム、５０：押付具、５２：拡大部、６０：弾性具、７０：規制具、８０：ブッシュ、８１：止め部、８２：収容部、９０：磁性具、１０１：止め縁、１１１：切り面、１１２：コーナー、１３１：斜め案内溝段、１３２：直線案内溝段、１４１：第１階段面、１４２：第２階段面、１４４：第１止め縁、１４５：第２止め縁、１４６：第１階段溝、１４７：第２階段溝、１４８：第３止め縁、２０１：切り面、２０２：コーナー、２１１：端面、３０１：多辺形貫通孔、３０２：切り面、３０３：凹み面、４１１：貫通孔、４２１：直線段、４２２：斜め段、４２３：挟み部、４２４：凸部、５１１：第４階段面、５１２：第５階段面、５１３：第６階段面、５１４：第７階段面、５１５：第４止め縁、５１６：第５止め縁、５１７：第６止め縁、５１８：第３階段溝、５１９：第４階段溝、８２２：貫通孔、８２４：保持段。
【図１】
0003175913.tif 000003
【図２Ａ】
0003175913.tif 000004
【図２Ｂ】
0003175913.tif 000005
【図３Ａ】
0003175913.tif 000006
【図３Ｂ】
0003175913.tif 000007
【図４】
0003175913.tif 000008
【図５】
0003175913.tif 000009
【図６】
0003175913.tif 000010